(57)【要約】【課題】  使用時に軸を握るだけでペン先が突出し、使用後に握りを解除すれば自動的にペン先２ａが格納され、ペン先２ａの格納忘れが生じることがないペン先出没構造を提案する。【解決手段】  後端が連結した上下一対の湾曲板状部材１ａ、１ｂの軸心に芯２を設け、湾曲板状部材１ａ、１ｂの先端で、ペン先２ａが出没可能な開口３を形成し、芯２と湾曲板状部材１ａ、１ｂを折り畳み自在の連結部材５で連結し、使用時に握ることで湾曲板状部材１ａ、１ｂが押圧されて内方向へ変形し、連結部材５が折り畳まれて芯２を前進させ、ペン先２ａが開口３から突出し、使用後に握りを解除し、湾曲板状部材１ａ、１ｂが復元してペン先２ａが格納されるように構成する。【選択図】  図１
2006044177.tif 000002
【特許請求の範囲】
【請求項１】
後端が連結した上下一対の湾曲板状部材１ａ、１ｂの軸心に芯２を設け、湾曲板状部材１ａ、１ｂの先端で、ペン先２ａが出没可能な開口３を形成し、芯２と湾曲板状部材１ａ、１ｂを折り畳み自在の連結部材５で連結し、
使用時に握ることで湾曲板状部材１ａ、１ｂが押圧されて内方向へ変形し、連結部材５が折り畳まれて芯２を前進させ、ペン先２ａが開口３から突出し、
使用後に握りを解除し、湾曲板状部材１ａ、１ｂが復元してペン先２ａが格納されるように構成した筆記具等のペン先出没構造。
【請求項２】
後端が連結した上下一対の湾曲板状部材１ａ、１ｂの先端を芯２に連結し、後端部を、芯２をスライド自在に軸支した筒体７に連結し、外皮６を軟質材６で形成し、不使用時に外皮６がペン先２ａを覆った状態とし、先端にペン先２ａが出没可能なスリット６ａを形成し、
使用時に握ることで湾曲板状部材１ａ、１ｂが押圧されて内方向へ変形し、芯２を前進させてペン先２ａがスリット８ａから突出し、
使用後に握りを解除し、湾曲板状部材１ａ、１ｂが復元してペン先２ａが格納されるように構成した筆記具等のペン先出没構造。
【発明の詳細な説明】
【技術分野】
【０００１】
この発明は、マーカー（蛍光ペン）、サインペン、マジックペン、ボールペンなどの筆記具等のペン先出没構造に関するものである。
【背景技術】
【０００２】
一般にマーカー、ボールペン等の筆記具におけるペン先構造としては、キャップを設けたものと、ノック式出没構造のものがある。キャップ式は最も簡単な構造であるが、使用後のキャップの付け忘れやキャップの紛失が避けられず、使用が不便であることから、揮発性インキを用いたフェルトペンや水性ボールペン等、キャップによってペン先の乾燥を防ぐ必要があるものに使用が限定されている。
【０００３】
一方、ノック式出没構造はキャップレスで便利であることから広く普及し、従来から操作性の改善を図ったものが提案されている（例えば特開平２００４−９８３６９号、特許文献１）。しかし、こうしたものは構造が複雑で部品点数の増加を招き、製作コストが高価である。
【特許文献１】特開平２００４−９８３６９号公報
【発明の開示】
【発明が解決しようとする課題】
【０００４】
この発明は、新機構成の筆記具等のペン先出没構造を提案し、使用時に軸を握るだけでペン先が突出し、使用後に握りを解除すれば自動的にペン先が格納され、ペン先の格納忘れが生じることがないペン先出没構造を提案するものである。また、簡単な構造で部品点数の削減を図り、安価に製作することができるとともに、マーカー、ボールペン等の筆記具の他、スティックタイプの糊や、カッターの刃先の出没等にも適用可能なペン先の出没構造を提案するものである。
【課題を解決するための手段】
【０００５】
こうした課題を解決するため、請求項１に記載の筆記具等のペン先出没構造は、後端が連結した上下一対の湾曲板状部材１ａ、１ｂの軸心に芯２を設け、湾曲板状部材１ａ、１ｂの先端で、ペン先２ａが出没可能な開口３を形成し、芯２と湾曲板状部材１ａ、１ｂを折り畳み自在の連結部材５で連結する。そして、使用時に握ることで湾曲板状部材１ａ、１ｂが押圧されて内方向へ変形し、連結部材５が折り畳まれて芯２を前進させ、ペン先２ａが開口３から突出し、使用後に握りを解除し、湾曲板状部材１ａ、１ｂが復元してペン先２ａが格納されるように構成するものである。
されるように構成するものである。
【０００６】
請求項２に記載の筆記具等のペン先出没構造は、後端が連結した上下一対の湾曲板状部材１ａ、１ｂの先端を芯２に連結し、後端部を、芯２をスライド自在に軸支した筒体７に連結し、外皮６を軟質材６で形成し、不使用時に外皮６がペン先２ａを覆った状態とし、先端にペン先２ａが出没可能なスリット６ａを形成する。そして、使用時に握ることで湾曲板状部材１ａ、１ｂが押圧されて内方向へ変形し、芯２を前進させてペン先２ａがスリット８ａから突出し、使用後に握りを解除し、湾曲板状部材１ａ、１ｂが復元してペン先２ａが格納されるように構成するものである。
【発明の効果】
【０００７】
以上のようにこの発明の筆記具等のペン先出没構造は、使用時に軸を握るだけでペン先２ａが突出し、使用後に握りを解除すれば自動的にペン先２ａが格納され、キャップレス且つノックレスで使い勝手が極めて優れるとともに、ペン先２ａの格納忘れが生じることがなく、格納忘れによるペン先２ａの乾燥を防止することができる。また、構造が簡単で、従来品に比べて部品点数が大幅に削減され、極めて安価に製作することができる。また、この発明の筆記具等のペン先出没構造は、ペン先２ａすなわち芯先が自動的に出没する構造であり、マーカー、ボールペン等の筆記具の他、スティックタイプの糊や、カッターの刃先の出没等にも適用可能であり、化粧品、化学・薬品等の分野で、同様な機構のものに適用可能である。
【発明を実施するための最良の形態】
【０００８】
以下に、この発明の最良の形態について図面の実施例に基づいて具体的に説明する。
【実施例１】
【０００９】
図１から３は、請求項１に記載の筆記具等のペン先出没構造の実施例である。
この筆記具は比較的細径の芯２に適用したもので、本例はボールペンで、一般的なボールペンの芯２が、後端が連結した上下一対の湾曲板状部材１ａ、１ｂの軸心に設けられている。湾曲板状部材１ａ、１ｂは円弧状に湾曲され、その先端が当接してペン先２ａが出没可能な開口３を形成している。湾曲板状部材１ａ、１ｂは板ばねとして弾発力を有し、不使用時は図１に示すように膨出した状態で、使用時に握ると、図３に示すように押圧されて内方向へ変形し、使用後に握りを解除すると膨出状態に復元する。
【００１０】
芯２の前方位置にその外周に筒体４が固着され、この筒体５と湾曲板状部材１ａ、１ｂの膨出位置とが連結部材５で連結されている。この連結部材５は、湾曲板状部材１ａ、１ｂの変形に応じて折り畳み自在とされている。これらの部材は外皮６で覆われ、外皮６は、湾曲板状部材１ａ、１ｂの変形に柔軟に応じることができるように、軟質樹脂やゴム等の軟質材で形成されている。
【００１１】
次に、この筆記具の使用について説明する。
図１に示すように、不使用時は湾曲板状部材１ａ、１ｂが膨出した状態で、湾曲板状部材１ａ、１ｂの先端部内にペン先２ａは格納されている。使用時にこの筆記具を握ると、図３に示すように、湾曲板状部材１ａ、１ｂが押圧されて内方向へ変形し、連結部材５が折り畳まれて芯２を前進させ、ペン先２ａが開口３から突出する。使用後に握りを解除すると、湾曲板状部材１ａ、１ｂは膨出状態に復元し、連結部材５が元の状態に開いて芯２を後退させ、ペン先２ａが格納される。このように、使用時に筆記具の軸を握るだけでペン先２ａが突出し、使用後に握りを解除すれば自動的にペン先２ａが格納され、ペン先２ａの格納忘れが生じることがない。
【実施例２】
【００１２】
図４から６は、請求項２に記載の筆記具等のペン先出没構造の実施例である。
この筆記具は比較的太径の芯２に適用したもので、本例は揮発性インキを用いたフェルトペンで、その芯２の後方部がインクタンクである円筒状の筒体７にスライド自在に軸支されている。後端で連結した上下一対の湾曲板状部材１ａ、１ｂの先端は芯２に連結され、後端部は筒体７に連結されている。
【００１３】
湾曲板状部材１ａ、１ｂは、握りやすさ考慮して前方に膨出部を設けた形状とされ、前例と同様に板ばねとして弾発力を有し、不使用時は図４に示すように膨出した状態で、使用時に握ると図６に示すように押圧されて内方向へ変形し、使用後に握りを解除すると膨出した状態に復元する。これらの部材を覆う外皮６は、前例と同様に軟質材で形成され、不使用時に外皮６がペン先２ａを覆った状態とされ、先端にペン先２ａが出没可能なスリット６ａを形成している。
【００１４】
次に、この筆記具の使用について説明する。
図４に示すように、不使用時は湾曲板状部材１ａ、１ｂは膨出した状態で、ペン先２ａは格納された状態であり、ペン先２ａは外皮６に覆われてシールされていて、芯２の乾燥が防止されている。使用時にこの筆記具を握ると、図６に示すように、湾曲板状部材１ａ、１ｂが押圧されて内方向へ変形して芯２を前進させ、ペン先２ａがスリット６ａから突出する。使用後に握りを解除すると、湾曲板状部材１ａ、１ｂは膨出した状態に復元し、芯２が後退してペン先２ａが格納される。このように、使用時に筆記具の軸を握るだけでペン先２ａが突出し、使用後に握りを解除すれば自動的にペン先２ａが格納され、ペン先２ａの格納忘れが生じることがない。本例は、芯２の乾燥を防止することができるので、スティックタイプの糊等への適用が有効である。
【図面の簡単な説明】
【００１５】
【図１】請求項１に記載の発明の実施例で、内部構成を示す断面図。
【図２】拡大正面図。
【図３】ペン先が突出した状態の断面図。
【図４】請求項２に記載の発明の実施例で、内部構成を示す断面図。
【図５】図４を９０度回転した状態の内部構成を示す断面図。
【図６】ペン先が突出した状態の断面図。
【符号の説明】
【００１６】
１ａ、１ｂ  湾曲板状部材
２  芯
２ａ  ペン先
３  開口
５  連結部材
６  外皮
６ａ  スリット
７  筒体
【図１】
2006044177.tif 000003
【図２】
2006044177.tif 000004
【図３】
2006044177.tif 000005
【図４】
2006044177.tif 000006
【図５】
2006044177.tif 000007
【図６】
2006044177.tif 000008